(57)【特許請求の範囲】
【請求項１】
導電金属材料から成り、内側にテーパ部を有する凹部から成る受端子を、偏平導体の一部に電気導通させて固定し、前記凹部に相手側の棒状端子の先端を前記偏平導体の面と垂直な方向から突き当てて前記受端子と前記棒状端子とを導通することを特徴とする端子接続部。
【請求項２】
前記受端子の凹部入口にフランジ部を設けた請求項１に記載の端子接続部。
【請求項３】
前記偏平導体はフレキシブルフラットケーブルに設け、該フレキシブルフラットケーブルを合成樹脂材料から成る基板に取り付け、前記受端子は前記偏平導体を貫通すると共に前記基板に喰い込ませた請求項１に記載の端子接続部。
【発明の詳細な説明】
【０００１】
【産業上の利用分野】
本発明は、偏平導体に接続し、相手側の棒状端子に接続する受端子を備えた端子接続部に関するものである。
【０００２】
【従来の技術】
例えば、フレキシブルフラットケーブルは偏平導体の両面に絶縁シートを接着して外径抜きすることにより形成されており、このようなフレキシブルフラットケーブル同士を電気的に接続するためには、一方のフレキシブルフラットケーブルの端末部に棒状端子を接続し、他方のフレキシブルフラットケーブルの端末部に受端子を接続し、これらの棒状端子と受端子を結合するようにしている。
【０００３】
例えば、図５の斜視図に示すように、フレキシブルフラットケーブル１の端末部に受端子２を接続する際には、フレキシブルフラットケーブル１の偏平導体３に受端子２の可撓部４を溶着し、溶着部の周囲を合成樹脂材料により覆って補強部５を成型する場合が多い。
【０００４】
【発明が解決しようとする課題】
しかしながら上述した従来例では、例えばフレキシブルフラットケーブル１の端末部ではなく中間部に電気的な接続を行う場合には、幹線から分岐線を分岐し、この分岐線に受端子２を接続しなければならず、多くの材料や手間を必要とするという問題がある。
【０００５】
また、フレキシブルフラットケーブル１の偏平導体３に受端子２を溶着する上に、これらの溶着部を合成樹脂材料により覆って補強部５を成型するため、溶接装置、成型装置等の特殊な装置を必要とする上に、溶接成型用材料や溶接成型作業等の多くの部品点数や組立工数を必要とするという問題がある。
【０００６】
本発明の目的は、上述した問題点を解消し、偏平導体に相手側棒状端子を簡素な構造で接続できる端子接続部を提供することにある。
【０００７】
【課題を解決するための手段】
上記目的を達成するための本発明に係る端子接続部は、導電金属材料から成り、内側にテーパ部を有する凹部から成る受端子を、偏平導体の一部に電気導通させて固定し、前記凹部に相手側の棒状端子の先端を前記偏平導体の面と垂直な方向から突き当てて前記受端子と前記棒状端子とを導通することを特徴とする。
【０００８】
【作用】
上述の構成を有する端子接続部は、偏平導体の一部に、相手側の棒状端子を偏平導体面と垂直な方向から受け入れる受端子を取り付け、受端子は相手側の棒状端子を垂直方向から受け入れて棒状端子と偏平導体を接続する。
【０００９】
【実施例】
本発明を図１〜図４に図示の実施例に基づいて詳細に説明する。
図１はフラットケーブル１１の接続部１１ａが基板１２を介して雄型ハウジング１３内に固定された状態を示す実施例の断面図であり、図２は接続部１１ａの一部を切欠した拡大斜視図、図３は図２のＡ−Ａ線に沿って切断した断面図であり、接続部１１ａがフレキシブルフラットケーブル１１の中間部にある場合を示している。
【００１０】
雄型ハウジング１３は合成樹脂材料により先端側が縮径する筒状に形成され、例えば自動車のインストルメントパネル等の組付体１４に取り付けられている。雄型ハウジング１３には合成樹脂製の雌型ハウジング１５が結合されており、この雌型ハウジング１５は上述した組付体１４が組み付けられるダッシュボード等の被組付体１６に取り付けられている。そして、雌型ハウジング１６には例えば並列された複数本の棒状端子１７が収容され、これらの棒状端子１７は、雄型ハウジング１３と雌型ハウジング１５が結合した際に、フレキシブルフラットケーブル１１の接続部１１ａに垂直方向から当接できるように方向が定められている。
【００１１】
一方、フレキシブルフラットケーブル１１は、複数本の偏平導体２１の両面を絶縁シート２２、２３により接着して外形抜きされている。基板１２はフレキシブルフラットケーブル１１の接続部１１ａを保持し得るように合成樹脂材料により形成され、接続部１１ａは例えば接着等により基板１２に保持されている。フレキシブルフラットケーブル１１を保持した基板１２は、雄型ハウジング１３の内部のほぼ中間部に軸線に直交するように雄型ハウジング１３に固定され、棒状端子１７が接続部１１ａに垂直な方向から当接できるようにされている。そして、接続部１１ａには棒状端子１７を受け入れて偏平導体２１に導通する受端子２４が、並列された棒状端子１７に一致するような配列で、偏平導体２１面と垂直な方向から棒状端子１７を受け入れるように取り付けられている。
【００１２】
ここで、受端子２４は導電金属材料により形成され、フレキシブルフラットケーブル１１と基板１２に打ち込まれるテーパ部３１と、打ち込まれた際に外側の絶縁シート２２に当接するフランジ部３２とが設けられ、これらの内部には相手側の棒状端子１７を受け入れる凹部３３が形成されている。このように形成された受端子２４は、フレキシブルフラットケーブル１１の偏平導体２１の接続し得る位置に、例えば十字状の切込１１ｂが形成された後に打ち込まれる。なお、テーパ部３１の外面は粗面とすることが、外れ難いために好ましい。
【００１３】
このようにして、受端子２４がフレキシブルフラットケーブル１１に打ち込まれると、受端子２４のテーパ部３１が絶縁シート２２、偏平導体２１、絶縁シート２３を貫通し、テーパ部３１の側面が偏平導体２１に接触すると共に、テーパ部３１の前端部が基板１２に喰い込み、フランジ部３２が外側の絶縁シート２２に当接する。これにより、受端子２４は偏平導体２１に導通した状態でフレキシブルフラットケーブル１１に固定される。
【００１４】
この実施例では、フレキシブルフラットケーブル１１の中間部に電気的接続を行う場合でも、接続部１１ａに受端子２４を打ち込むだけであるため、従来のような分岐線を備えたフレキシブルフラットケーブルや、溶接装置、成型装置等の特殊な装置を必要としない。また、接続部１１ａを形成するためには受端子２４のみを用意して打ち込むだけであるため、部品点数や組立工数を削減できる。
【００１５】
そして、雄型ハウジング１３と雌型ハウジング１５が十分に結合した際に、図４の拡大図に示すように、棒状端子１７が受端子２４に当接して方向Ｂへ若干撓むようにすれば、組付体１４と被組付体１６の組付誤差を吸収した上に、棒状端子１７と受端子２４の接触圧を向上させることができる。
【００１６】
なお、上述した実施例ではフレキシブルフラットケーブル１１の中間部の接続部１１ａについて説明したが、フレキシブルフラットケーブル１１の端末部にも適応することができるということは勿論である。
【００１７】
【発明の効果】
以上説明したように本発明に係る端子接続部は、偏平導体の一部に相手側の棒状端子を偏平導体面に対し垂直な方向から突き当てにより受け入れる受端子を取り付けたために、簡素な構造で相手側端子を接続できる。
【図面の簡単な説明】
【図１】  雄型ハウジングに固定した実施例の断面図である。
【図２】  一部を切欠した部分拡大斜視図である。
【図３】  図２のＡ−Ａ線に沿って切断した断面図である。
【図４】  棒状端子と受端子の接続時の作用説明図である。
【図５】  従来例の部分切欠の斜視図である。
【符号の説明】
１１  フレキシブルフラットケーブル
１２  基板
１３  雄型ハウジング
１７  棒状端子
２１  偏平導体
２４  受端子
【図１】
0003722876.tif 000002
【図２】
0003722876.tif 000003
【図３】
0003722876.tif 000004
【図４】
0003722876.tif 000005
【図５】
0003722876.tif 000006